(57)【要約】【課題】  構造的に簡易でありながら、縦抱きと横抱きの両方の保持方法の切り替えが迅速且つ容易に行えるだっこ具を提供することを目的とする。【解決手段】  幼児を収容するだっこ具本体２に基端側が接続され、先端側に第１連結部材５０１を有するショルダーベルト３と、だっこ具本体２に装着された第２連結部材５０２と、基端側がだっこ具本体２に接続され、先端側に第３連結部材５０３を有する第１腰ベルト４０１と、基端側がだっこ具本体２に接続され、先端側に第４連結部材５０４を有し、第１腰ベルト４０１より長い第２腰ベルト４０２とを備え、縦抱きのときに、第１連結部材５０１と第２連結部材５０２とを連結し、第３連結部材５０３と第４連結部材５０４とを連結して用い、横抱きのときに、第１連結部材５０１と第３連結部材５０３とを連結して用いるだっこ具１とする。【選択図】  図１
2006296897.tif 000002
【特許請求の範囲】
【請求項１】
幼児を収容するだっこ具本体と、前記だっこ具本体に基端側が接続され、先端側に第１連結部材を有するショルダーベルトと、前記だっこ具本体に装着された、前記第１連結部材と着脱自在に連結する第２連結部材と、基端側が前記だっこ具本体に接続され、先端側に前記第１連結部材と着脱自在に連結される第３連結部材を有する第１腰ベルトと、基端側が前記だっこ具本体に接続され、先端側に前記第３連結部材と着脱自在に連結される第４連結部材を有し、前記第１腰ベルトより長い第２腰ベルトとを備え、
縦抱きのときに、前記ショルダーベルトの第１連結部材と前記第２連結部材とを連結し、前記第１腰ベルトの第３連結部材と前記第２腰ベルトの第４連結部材とを連結して腰ベルトとして用い、
横抱きのときに、前記ショルダーベルトの第１連結部材と前記第１腰ベルトの第３連結部材とを連結して用いる
ことを特徴とするだっこ具。
【請求項２】
請求項１記載のだっこ具において、
前記第２腰ベルトを収納する袋部を有することを特徴とするだっこ具。
【請求項３】
請求項１又は２記載のだっこ具において、
幼児の頭部を保持する頭部サポート部材が前記だっこ具本体に着脱自在に装着できることを特徴とするだっこ具。
【請求項４】
請求項１〜３いずれかに記載のだっこ具において、
前記第１連結部材〜第４連結部材が、それぞれワンタッチ式バックルであることを特徴とするだっこ具。
【発明の詳細な説明】
【技術分野】
【０００１】
本発明は、幼児を縦抱きと横抱きの両方の方法で保持することができるだっこ具に関する。
【背景技術】
【０００２】
だっこ具を用いた幼児の保持方法として、垂直方向に保持する縦抱きと寝かせて保持する横抱きとがある。だっこ具は、幼児の首の据わりなどの成長度や幼児の状態によって縦抱きと横抱きを切り替えできることが好ましい。そのため、下記特許文献に示すように、縦抱きと横抱きの切り替えが可能なだっこ具が提案されている。
【特許文献１】特開２００３−４０１号
【特許文献２】登録実用新案公報第３０２６３８８号
【発明の開示】
【発明が解決しようとする課題】
【０００３】
しかしながら、縦抱きのときよりも横抱きのときの方がショルダーベルトの長さを長くする必要があることから、従来のだっこ具は、切り替え毎にベルトの長さを調節する必要があり、縦抱きと横抱きの切り替えが煩雑であり、迅速に切り替えができない。また、切り替えのために補助ベルトなどを用いると、ベルトの数が多くなり、切り替え操作に混乱をきたすおそれがある。
【０００４】
本発明は、上記事情に鑑みてなされたもので、構造的に簡易でありながら、縦抱きと横抱きの両方の保持方法の切り替えが迅速且つ容易に行えるだっこ具を提供することを目的とする。
【課題を解決するための手段】
【０００５】
上記目的を達成するため、本発明は、第１に、幼児を収容するだっこ具本体と、前記だっこ具本体に基端側が接続され、先端側に第１連結部材を有するショルダーベルトと、前記だっこ具本体に装着された、前記第１連結部材と着脱自在に連結する第２連結部材と、基端側が前記だっこ具本体に接続され、先端側に前記第１連結部材と着脱自在に連結される第３連結部材を有する第１腰ベルトと、基端側が前記だっこ具本体に接続され、先端側に前記第３連結部材と着脱自在に連結される第４連結部材を有し、前記第１腰ベルトより長い第２腰ベルトとを備え、縦抱きのときに、前記ショルダーベルトの第１連結部材と前記第２連結部材とを連結し、前記第１腰ベルトの第３連結部材と前記第２腰ベルトの第４連結部材とを連結して腰ベルトとして用い、横抱きのときに、前記ショルダーベルトの第１連結部材と前記第１腰ベルトの第３連結部材とを連結して用いることを特徴とするだっこ具を提供する。
【０００６】
このだっこ具は、縦抱きから横抱きへの切り替えは、ショルダーベルトの第１連結部材とだっこ具本体に装着されている第２連結部材の連結を解除すると共に、腰ベルトの第３連結部材と第４連結部材の連結を解除し、ショルダーベルトの第１連結部材と短い第１腰ベルトの第３連結部材とを連結するだけでよい。横抱きにする際に、短い第１腰ベルトをショルダーベルトに連結してショルダーベルトの長さを延長することができるため、ベルトの長さを調節する必要がなく、迅速な切り替えが可能である。また、縦抱きに必要な部材をそのまま横抱きに用いているため、構造的に簡易であり、操作に迷うこともなく容易にできる。
【０００７】
本発明は、第２に、上記第１のだっこ具において、前記第２腰ベルトを収納する袋部を有することを特徴とするだっこ具を提供する。
【０００８】
横抱きのときには、長い第２腰ベルトは不要になり、邪魔になるため、第２腰ベルトを収納する袋部を設けることが好ましい。
【０００９】
本発明は、第３に、上記第１又は第２のだっこ具において、幼児の頭部を保持する頭部サポート部材が前記だっこ具本体に着脱自在に装着できることを特徴とするだっこ具を提供する。
【００１０】
横抱きのときに頭部サポート部材を装着することにより、首の据わっていない幼児の頭部を保護することができる。
【００１１】
本発明は、第４に、上記第１〜第３いずれかのだっこ具において、前記第１連結部材〜第４連結部材が、それぞれワンタッチ式バックルであることを特徴とするだっこ具を提供する。
【００１２】
これらの連結部材をワンタッチ式バックルとすることにより、迅速な切り替えが可能になる。
【発明の効果】
【００１３】
本発明のだっこ具によれば、構造的に簡易でありながら、縦抱きと横抱きの両方の保持方法の切り替えが迅速かつ容易に行える。
【発明を実施するための最良の形態】
【００１４】
以下、本発明のだっこ具の実施の形態について図面を参照しながら説明するが、本発明は以下の実施の形態に限定されるものではない。
【００１５】
図１は、本発明のだっこ具の一実施形態の外面側の展開図である。図２は、同じだっこ具の内面側の展開図である。図３は、頭部サポート部材の一実施形態を示す斜視図である。図４は、縦抱きのときのだっこ具の構造を示す斜視図であり、図５は縦抱きのときのだっこ具の使用態様を示す斜視図である。図６は横抱きのときのだっこ具の構造を示す斜視図であり、図７は横抱きのときのだっこ具の使用態様を示す斜視図である。図２に示す内面側の展開図の左側がだっこ具として使用するときに実際に左側になり、展開図の右側が実際の使用時の右側になる。図１の外面側の展開図は図１と逆で、展開図の右側が実際の使用時の左側、展開図の左側が実際の使用時の右側となる。
【００１６】
この実施形態のだっこ具１は、図１、図２に示すように、幼児の体を収容するだっこ具本体２と、ショルダーベルト３と、腰ベルト４とを備える。だっこ具本体２は、図１に示すように、中央部で内面側を内側にして折曲されて２つ折りの状態で対向するように組み立てられるそれぞれ略矩形状の背当て部２００と保持部２３０とを有する。背当て部２００の上端部の左右両端縁と一体に左右方向にそれぞれ突出している上部突出部２０１、２０１が設けられている。また、背当て部２００の中央から下端部の両端縁それぞれに一体に、先端側に行くに従って上端縁が水平方向を維持し下端縁が上方側に向かうテーパー翼状の下部突出部２０２、２０２が設けられている。だっこ具本体２は柔軟でクッション性を有する素材で構成されている。
【００１７】
だっこ具本体２の保持部２３０の上端縁にショルダーベルト３の基端縁が一体化されて接続されている。ショルダーベルト３は左肩にたすき掛けで掛けるようになっている。ショルダーベルト３の幅は基端縁が保持部２３０の上端縁と同じ幅であり、先端に行くに従って斜めになっている右側の側縁が直線状の左側の側縁に次第に近づくように幅が漸次狭くなるクッション材で構成された肩掛け部３０１を有し、肩掛け部３０１の先端にベルト部３０２の基端部が縫製で取り付けられ、ベルト部３０２の先端側に第１連結部材５０１として雄型のワンタッチ式バックルが取り付けられている。ベルト部３０２は、先端の第１連結部材５０１の位置を変更することにより、長さの調節が可能になっている。
【００１８】
図１に示すように、だっこ具本体２を内面側を内側にして２つ折りにしたときの保持部２３０の外面側の下端縁よりやや上方の幅方向中央部に、第２連結部材５０２としての雌型のワンタッチ式バックルが短いベルトを介してだっこ具１を使用するときに斜め右上を向くように取り付けられている。この第２連結部材５０２の雌型のバックルはショルダーベルト３の第１連結部材５０１の雄型のバックルと着脱自在に連結される。連結されたときに、ショルダーベルト３は、だっこ具本体２の保持部２３０の上端縁に基端側が接続され、先端側が保持部２３０外面側の下端側に接続され、だっこ具１を保持するショルダーベルトとして機能する。
【００１９】
第２連結部材５０２が取り付けられている保持部２３０外面側と同じ部分に、腰ベルト４を構成する第１腰ベルト４０１の基端側が取り付けられ、左右方向の右側へ引き出されている。第１腰ベルト４０１の先端側に第３連結部材５０３としての雌型のワンタッチ式バックルが取り付けられている。第１腰ベルト４０１の基端側と繋がって一体となって第２腰ベルト４０２の基端側が保持部２３０の外面側の下端側の幅方向中央部に取り付けられ、左右方向の左側へ引き出されている。第２腰ベルト４０２の先端側に第４連結部材５０４としての雄型のワンタッチ式バックルが取り付けられている。第２腰ベルト４０２の長さは第１腰ベルト４０１の長さより数倍長い。第２腰ベルト４０２は、第４連結部材５０４の雄型のバックルの位置を調節することにより、長さの調節が可能になっている。
【００２０】
第１腰ベルト４０１の第３連結部材５０３の雌型のバックルは、第２腰ベルト４０２の第４連結部材５０４の雄型のバックルと着脱自在に連結され、連結したときに第１腰ベルト４０１と第２腰ベルト４０２は一体となって腰ベルト４として機能する。また、第１腰ベルト４０１の第３連結部材５０３の雌型のバックルは、ショルダーベルト３の第１連結部材５０１の雄型のバックルと着脱自在に連結することができる。
【００２１】
左右の上部突出部２０１の外面側には、それぞれ基端側が縫製で取り付けられ、先端側に第５連結部材５０５としての雄型のワンタッチ式バックルが取り付けられた上部連結用ベルト２０３が、左右方向に上部突出部２０１から突出して引き出されている。上部連結用ベルト２０３は長さの調節が可能である。上部連結用ベルト２０３の基端部より内方側の上部突出部２０１の外面側に、第６連結部材５０６としての雌型のワンタッチ式バックルが取り付けられている。第６連結部材５０６の雌型のバックルは、第５連結部材５０５の雄型のバックルと着脱自在に連結することができる。
【００２２】
だっこ具本体２を２つ折りにしたときに背当て部２００の上部連結用ベルト２０３と対向する保持部２３０の上端部の左右両端縁には、それぞれリング部材の一種のＤ環２３１が取り付けられている。だっこ具本体２を２つ折りにして背当て部２００と保持部２３０を対向させて上部連結用ベルト２０３をＤ環２３１に通して折り返し、第５連結部材５０５と第６連結部材５０６を連結させることにより、だっこ具本体２の背当て部２００と保持部２３０の上部相互を連結し、幼児を収容する袋状を維持できるようになっている。
【００２３】
図１に示すように、下部突出部２０２の外面側のそれぞれの先端部には、第７連結部材５０７としての小判型の連結用突出部が取り付けられている。一方、図２に示すように、保持部２３０の内面側の上下の中間部において左右の両端部それぞれには、第８連結部材５０８として、固定部材が装着されている。固定部材５０８は、小判型の連結用突出部５０７を着脱可能に固定する部材であり、固定するときには、だっこ具本体を２つ折りにしたときに上方から連結用突出部５０７をスライドさせてストッパ５０８１を押下させながら嵌め込み、ストッパ５０８１を超えて嵌め込むと、ストッパ５０８１が上昇して連結用突出部５０７が抜け出さないように固定部材５０８に固定される。連結用突出部５０７を脱着するときには、ストッパ５０８１を押下させながら連結用突出部５０７をスライドさせて抜き取る。
【００２４】
図１に示すように、背当て部２００の外面側の下半分には、矩形の布の下端縁と両側端縁が背当て部２００に縫製され上端縁に開口部が形成された袋状のサポート部２０５が設けられている。サポート部２０５の開口部にはゴム紐が装着され、開口部が伸縮自在となっている。また、保持部２３０の外面側の上半分には第２腰ベルト４０２を収納するための袋部２３３が設けられている。袋部２３３は、下端縁に第２腰ベルト４０２を通す小さな開口部が形成され、幅方向の中央に上下方向に取り付けられているジッパー２３４で左右に開閉できる。また、第２連結部材５０２が装着されている保持部２３０外面側の下端側中央には、後述する頭部サポート部材のフック部材が掛けられるリング部材５０９が取り付けられている。
【００２５】
頭部サポート部材６は、図３に示すように、上側が円弧状に形成され下側がすぼまっていく略扇形の形状のサポート部本体６０１を有する。このサポート部本体６０１は、比較的硬質の可撓性素材で構成される芯材が入れられた板状で、下側はだっこ具本体２のサポート部２０５に挿入可能になっている。サポート部本体６０１に円弧状の外縁から垂直方向に立ち上がったカバー部６０２が縫製で一体に設けられている。カバー部６０２は柔軟でクッション性を有する素材で構成されている。カバー部６０２の左右両端部のそれぞれの外面に第９連結部材５１０として雌型のワンタッチ式バックルが装着されている。この第９連結部材５１０は、第５連結部材５０５の雄型のバックルと着脱自在に連結できる。また、サポート部本体６０１の外面中央に、幅広いベルト状のサポートベルト部６０３の基端部が接続され、サポートベルト部６０３は基端部から垂下している。サポートベルト部６０３の先端部に短いベルトを介してリング部材５０９に掛けられるフック部材５１１が取り付けられている。フック部材５１１の位置はベルトに対する摺動により変更可能である。
【００２６】
このような構造のだっこ具１の使用方法について説明する。図１、図２に示したような展開されているだっこ具本体２を幼児を収容できる袋状に形成するには、まず、だっこ具本体２を内面側を内側にして中央で２つ折りにする。これにより、背当て部２００と保持部２３０のそれぞれの内面側が対向し、背当て部２００の下部突出部２０２の外面側に装着されている連結用突出部５０７を保持部２３０の内面側の固定部材５０８に接近させるようにそれぞれの下部突出部２０２を内面側に屈曲させる。そして、それぞれの連結用突出部５０７をそれぞれの固定部材５０８にスライド挿入し、固定させる。また、左右の上部突出部２０１のそれぞれの上部連結用ベルト２０３を保持部２３０のＤ環２３１に通して折り返し、第５連結部材５０５と第６連結部材５０６を連結させる。これにより、図４に示すように、上部突出部２０１と下部突出部２０２が背当て部２００と保持部２３０とを連結してだっこ具本体２が幼児を収容できる袋状に形成される。下部突出部２０２のテーパー状の下端縁と保持部２３０下部端縁との間に幼児の足を通す足入れ孔２４０が形成され、上部突出部２０１と下部突出部２０２との間にも間隙が形成される。
【００２７】
縦抱きの態様とするときには、幼児をだっこ具本体２内に収容し、だっこ具本体２の保持部２３０を体の胸に近接して配置し、図４に示すように、ショルダーベルト３を左肩に掛け、ショルダーベルト３を背中を回して先端部の第１連結部材５０１を右腰から回し、だっこ具本体２の第２連結部材５０２に連結し、ショルダーベルト３をだっこ具本体２に装着する。また、第２腰ベルト４０２を左側から腰に回し、第２腰ベルト４０２の第４連結部材５０４を第１腰ベルト４０１の第３連結部材５０３に連結して腰ベルト４を形成させて用いる。これにより、図４に示すような構造の縦抱き用の態様のだっこ具１が形成される。実際の使用しているときの状態は、図５に示すように、左肩に回したショルダーベルト３と腰に巻き付けた腰ベルト４で垂直方向に保持されている幼児の体重を支え、幼児をだっこ具本体２内にだっこ状態で収容し、保持しながら移動することができる。
【００２８】
縦抱きから横抱きへ態様を変更するときには、首が据わっていない幼児の場合は頭部サポート部材６をだっこ具本体２に装着することが好ましい。頭部サポート部材６をだっこ具本体２に装着するには、頭部サポート部材６のサポート部本体６０１の下部をだっこ具本体２の袋状のサポート部２０５に開口部から挿入し、サポートベルト部６０３の先端のフック部材５１１をリング部材５０９に掛ける。更に、第５連結部材５０５と第６連結部材５０６の連結をそれぞれ解除し、第５連結部材５０５の雄型のバックルそれぞれに頭部サポート部材６の第９連結部材５１０の雌型のバックルをそれぞれ連結させる。これにより、図６に示すように、頭部サポート部材６はだっこ具本体２に着脱自在に装着される。
【００２９】
幼児を収容しただっこ具本体２を台などの上に置きながら、腰ベルト４の第３連結部材５０３と第４連結部材５０４の連結を解除すると共に、ショルダーベルト３の第１連結部材５０１と第２連結部材５０２の連結を解除し、ショルダーベルト３の第１連結部材５０１を短い第１腰ベルト４０１の第３連結部材５０３と連結させる。使用しない第２腰ベルト４０２は折り畳んでジッパー２３４で開いた袋部２３３へ入れ、ジッパー２３４を閉じて第２腰ベルトを袋部２３３内へ収納することにより、邪魔にならない。また、第２連結部材５０２は短いベルトを介してだっこ具本体２に装着されているため、邪魔になることはない。
【００３０】
これにより、図６に示すように、ショルダーベルト３が第１腰ベルト４０１を介してだっこ具本体２に接続され、第１腰ベルト４０１の長さがショルダーベルト３に加わったことになる。縦抱きの態様よりも横抱きの態様の方がショルダーベルトの長さを長くする必要があるが、本実施形態のだっこ具１では、横抱きへ変更するときに、第１腰ベルト４０１の長さが自動的に加わり、ショルダーベルトの長さを特に調節する必要がない。また、縦抱きから横抱きへの変更は、ショルダーベルト３の第１連結部材５０１の連結を第２連結部材５０２から第１腰ベルト４０１の第３連結部材５０３に切り替えるだけでよい。そのため、本実施形態のだっこ具１は、第１連結部材５０１〜第４連結部材５０４まで全てワンタッチ式のバックルを用いていることもあり、縦抱きの態様から横抱きの態様へ、横抱きの態様から縦抱きの態様へ迅速に変更することができる。また、縦抱きに必要な部材をそのまま横抱きにするときに用い、特別な補助ベルトなどを用いていないので、構造が簡易で切り替え操作も容易である。
【００３１】
また、横抱きの態様で頭部サポート部材６を装着することにより、幼児の頭部を硬質の頭部サポート部材６のサポート部本体６０１が支えると共に、幼児の頭部を保護カバー６０２で保護することができるため、首の据わっていない幼児でも安全に保持することができる。
【００３２】
実際の横抱きで使用しているときの状態は、図７に示すように、左肩に回したショルダーベルト３で寝かせている幼児の体重を支え、幼児を寝かせながら保持して移動することができる。
【００３３】
上記説明では、背当て部と保持部の連結を背当て部に一体に設けられた突出部で行っているが、別個の部品を用いて行ってもよい。また、ショルダーベルトは左肩に掛ける一つのショルダーベルトを示しているが、縦抱きのときに両肩に掛けるようなショルダーベルトでもよく、横抱きのときは一本にまとめるようにしてもよい。更に、頭部サポート部材は背当て部の外面側に装着するようにしているが、内面側に装着するようにしてもよい。また、第２ベルト部を収納する袋部はだっこ具本体に設けているが、第１腰ベルトに設けるようにしてもよく、位置に限定はない。
【産業上の利用可能性】
【００３４】
本発明のだっこ具は、縦抱きと横抱きの両方の方法で保持しながら移動する用途に用いることができる。
【図面の簡単な説明】
【００３５】
【図１】本発明のだっこ具の一実施形態の外面側の展開図である。
【図２】図１に示すだっこ具の内面側の展開図である。
【図３】頭部サポート部材の一実施形態を示す斜視図である。
【図４】縦抱きのときのだっこ具の構造を示す斜視図である。
【図５】縦抱きのときのだっこ具の使用態様を示す斜視図である。
【図６】横抱きのときのだっこ具の構造を示す斜視図である。
【図７】横抱きのときのだっこ具の使用態様を示す斜視図である。
【符号の説明】
【００３６】
１：だっこ具
２：だっこ具本体
３：ショルダーベルト
４：腰ベルト
４０１：第１腰ベルト
４０２：第２腰ベルト
５０１：第１連結部材
５０２：第２連結部材
５０３：第３連結部材
５０４：第４連結部材
２００：背当て部
２０１：上側突出部
２０２：下側突出部
２３０：保持部
６：頭部サポート部材
【図１】
2006296897.tif 000003
【図２】
2006296897.tif 000004
【図３】
2006296897.tif 000005
【図４】
2006296897.tif 000006
【図５】
2006296897.tif 000007
【図６】
2006296897.tif 000008
【図７】
2006296897.tif 000009